(57)【要約】【課題】  収容部内の多数の球形弾を給弾口へ向かう整列溝に容易かつ確実に移動させることができるようにする。【解決手段】  球形弾１２を給弾口１４に向けて２列で整列させるための整列溝１５をマガジン部１１に設けるとともに、整列溝内の球形弾１２を給弾口１４に向けて押し動かす弾丸押圧子２０を設け、整列溝内の球形弾１２を撃ち尽したのちマガジン部１１を装着したまま銃本体１０を傾けることにより、収容部１３から整列溝１５の給弾口１４と弾丸押圧子２０との間に球形弾１２を移動させるために、整列溝内の球形弾１２の並列幅よりも狭い幅で、弾丸移動口１９を収容部１３と整列溝１５との間に設ける。【選択図】          図７
2005106302.tif 000002
【特許請求の範囲】
【請求項１】
銃本体と一体的に設けられ、複数個の球形弾を収容する収容部と、球形弾を銃本体に供給するための給弾口とを有する球形弾用マガジンであって、球形弾を給弾口に向けて２列で整列させるための整列溝をマガジン部に設けるとともに、整列溝内の球形弾を給弾口に向けて押し動かす弾丸押圧子を設け、整列溝内の球形弾を撃ち尽くしたのちマガジン部を一体的に設けた銃本体を傾けることにより、収容部から整列溝の給弾口と弾丸押圧子との間に球形弾を移動させるために、整列溝内の球形弾の整列幅よりも狭い幅で、弾丸移動口を収容部と整列溝との間に設けたことを特徴とする球形弾用マガジン。
【請求項２】
弾丸移動口は、球形弾１個分よりも広く、２個分よりは狭い幅を有している請求項１記載の球形弾用マガジン。
【請求項３】
弾丸押圧子の押し力により球形弾が整列溝内に整列し密接したときに、弾丸移動口の口縁によって球形弾を整列溝内に保持するように構成されている請求項１記載の球形弾用マガジン。
【請求項４】
収容部と整列溝とはそれらの境界の低い壁によって隔てられ、低い壁の間が弾丸移動口となっている請求項１記載の球形弾用マガジン。
【請求項５】
マガジン部は、銃本体に対して着脱可能に設けられている請求項１記載の球形弾用マガジン。
【発明の詳細な説明】
【技術分野】
【０００１】
本発明は、銃本体と一体的に設けられ、複数個の球形弾を収容する収容部と、球形弾を銃本体に供給するための給弾口とを有する球形弾用マガジンに関するものである。
【背景技術】
【０００２】
エアガンと通称されるものに、エアコッキングガンやガスガン或いはガスブローバックガン、電動ガンなどが含まれるが、これらは全部球形の弾丸を使用する。現在出回っている弾丸は直径が６ｍｍの、ＢＢ弾と呼ばれる主としてプラスチック製のものである。この種の球形弾は、銃本体内の弾倉部分又は銃本体に着脱式に取り付けるマガジンに収容され、１発ずつ銃身後端の装弾部に供給される。なお業界の規定では弾径５．７ｍｍ以上とされており、他に直径８ｍｍの球形弾もある。
【０００３】
マガジンには多量の弾丸を収容することができるが、従来のマガジンでは、収容されている弾丸全部を装弾部へ自動供給できるようにはってはいない。弾丸を装弾部の方向へ押す機構上、装弾部へ向かうセット状態になっている弾丸列と、収容部内に収まっているに過ぎないそれ以外の弾丸とは区別されており、装弾部へ向かう弾丸列を消費したときに
は、所定の操作をして収容部の弾丸をセット状態にする必要がある。
【０００４】
例えば、特開平６−３０７７９８号の発明のものは、弾収納室と弾供給室とを有し、両空間を仕切板で仕切ってあり、弾供給室が空になったとき仕切板を引き出して両室の仕切りをなくし、弾供給室へ弾丸を移行させたのち、再び仕切板を挿入して、両室間を仕切ることにより弾を装填するという構成を有している。しかしこのようにすると、仕切板を挿入するときに弾丸を挟んだり押し分けたりするためスムーズに操作できず、手間取ることがある。
【０００５】
【特許文献１】特開平６−３０７７９８号
【特許文献２】実開平５−７９２８９号
【発明の開示】
【発明が解決しようとする課題】
【０００６】
本発明は前記の点に着目してなされたもので、その課題は、収容部内に収容した多数の球形弾を給弾口へ向かう整列溝に容易かつ確実に移動させることができるようにすることである。また本発明の他の課題は、銃本体を傾けることにより、銃本体に一体的に備えられているマガジン本体内に収容されている球形弾を整列溝に移動させることができるようにすることである。
【課題を解決するための手段】
【０００７】
前記の課題を解決するため、本発明は球形弾を給弾口に向けて２列で整列させるための整列溝をマガジン部に設けるとともに、整列構内の球形弾を給弾口に向けて押し動かす弾丸押圧子を設け、整列溝内の球形弾を撃ち尽くしたのちマガジン部を装着したまま銃本体を傾けることにより、収容部から整列構の給弾口と弾丸押圧子との間に球形弾を移動させるために、整列溝内の球形弾の並列幅よりも狭い幅で、弾丸移動口を収容部と整列溝との間に設けるという手段を講じたものである。
【０００８】
本発明で取り扱うのは球形弾であり、前記したＢＢ弾と称されるプラスチック製のものが主な対象である。この種の弾丸は、その真球度により高級品か或いは実用品かに分けられ、また材質により１発当たり０.１１〜０.３６ｇの範囲の種類があり、電動ガン用や精密射撃用に使用されている。
【０００９】
本発明に係る球形弾用マガジンは、銃本体に対して着弾可能な構造になっていてもいなくても良い。ここで着脱可能であるということは、ワンタッチ着脱可能であることまでは必要でなく、単に着脱可能な構造で銃本体に取り付けられるマガジンを含む。このマガジンは、複数個の球形弾を収容する収容部と、球形弾を銃本体に供給するための給弾口とを有する。
【００１０】
本発明に於けるマガジン部には、球形弾を給弾口に向けて２列に整列させるための整列溝をマガジン部に設ける。整列溝は、銃本体とマガジン部とを連絡する給弾口に通じており、球形弾を給弾口に向けて押し動かす弾丸押圧子が設けられている。弾丸押圧子で押し動かされる球形弾は２列で整列するため、押し動かされる方向と交叉する方向へも動こうとし、その結果、蛇行状に並ぶ（図７参照）。
【００１１】
収容部と整列溝との間には弾丸移動口を設け、この弾丸移動口は整列溝の給弾口と弾丸押圧子との間に開口する。弾丸移動口は、整列溝内に並んだ球形弾の並列幅よりも狭い幅に設定する。弾丸移動口は、例えば、球形弾１個分よりも広く、２個分よりは狭い幅を有する。弾丸押圧子の押し力により球形弾が整列溝内に２列で整列し密接したときに、弾丸移動口の口縁によって球形弾を整列溝内に保持することが可能となる。
【００１２】
弾丸押圧子は、最大限まで後退した位置におき、弾丸押圧子と給弾口との間に可能な限りの広い領域ができるようにしておく。球形弾は、収容部から、弾丸移動口を通って整列溝内に移動するが、この移動は特別の動力を使わず重力供給で行なうものとし、かつそのために、本発明では、マガジン部を装着したまま銃本体を傾けるものとする。傾ける方向はどの方向でも良い。しかし銃口が上を向くときに球形弾が整列溝内に補充されるようにしても良く、補充時のための向きに応じて収容部が整列溝の上位に来るようにすることが必要である。
【発明の効果】
【００１３】
本発明は前記の如く構成されかつ作用するものであるから、収容部内に収容されている多数の球形弾を給弾口へ向かう整列溝に容易かつ確実に移動させることができるという効果を奏する。また本発明は銃本体を傾けることにより、銃本体に装着したままマガジン部内に収容されている球形弾を整列溝に移動させることができる。
【発明を実施するための最良の形態】
【００１４】
以下図面を参照して本発明の実施形態の１例を説明する。例示のものは自動小銃型のオートマチック電動エアガン用のマガジンを示しており、銃本体１０に対して着脱可能に設けられた縦長のマガジン部１１を有している。
【００１５】
マガジンは図２に詳細に示した構造を有しており、マガジン部１１の内部は、多数の球形弾１２を収容するための大容量の収容部１３と、球形弾１２を銃本体１０に供給するための給弾口１４に通じる整列溝１５とが縦方向に設けてある。また収容部は後側に、整列溝１５は前側に設けてあるので、前を下に傾けたときに収容部内の球形弾１２を整列溝内に移動させる方式となる。収容部１３は上部に球形弾１２の挿入口１６を有し、挿入口
１６は開閉蓋１７によって開閉されるが、開閉蓋１７はマガジン部１１を銃本体１０に取り付けると、閉じた状態となる。
【００１６】
収容部１３と整列溝１５とは境界の低い壁１８によって隔てられており、低い壁１８の間は、弾丸移動口１９となっている。低い壁１８は、整列溝内に組み込まれている弾丸押圧子２０と、弾丸押圧子２０を上端の給弾口１４の方向へ押し動かすばね手段２１の移動を規定するガイドの役割も兼ねており、弾丸移動口１９は、球形弾１２を１個は楽に通すが、溝内に２個並列した状態では通さない幅Ｄに設けられている。この幅Ｄは図７（ｃ）に具体的に示されているように、球形弾１２を最密的に詰めるように設けられた整列溝
１５の幅よりもさらに狭く、例えば球形弾１２の直径の１．０５〜１．４倍の範囲好ましくは１．１倍に設定される。
【００１７】
球形弾１２は、このようにして整列溝１５に最密的に詰められる結果、蛇行状に２列に並ぶことになる。また低い壁１８はこの２列の球形弾１２を整列溝内に留める高さを持つことになる。弾丸移動口１９の幅Ｄは上記の通りであるが、長さに特に制限はなく、図４に示すように下降させた弾丸押圧子２０の上方が開いていて良い。但し、上端には給弾口１４と挿入口１６とを分ける部分２２が必要である。また給弾口１４の直前に２列の球形弾１２を１列にする部分が設けられている。
【００１８】
弾丸押圧子２０を後退（或いは下降）させたときに、その状態を保って弾丸移動口１９を開いておくための掛止手段が設けられている。掛止手段は、マガジン部内の移動空間
２３にて移動可能に、弾丸押圧子２０に設けた凹状の掛止部２４と、掛止部２４と掛止可能なようにマガジン部内の下部に設けた凸状の掛止相手部２５とを有し、掛止相手部２５には、掛止状態を解除する解除ボタン２６が設けられている。また、弾丸押圧子２０を給弾口１４の方向へ付勢するためのばね手段２７、及び弾丸押圧子２０を下降させる部材となる弾丸移動口１９の操作レバー２８が設けられている。操作レバー２８は、マガジン単体でも、また銃本体にセットしたままでも操作できるように設けられている。
【００１９】
弾丸押圧子２０の先端は給弾口１４を通過してさらに上方へ移動し得る（図２、図３等参照）。これは１発の球形弾１２を銃本体の装弾室３５に確実に押し込むためであるが、マガジンを銃本体１０から取り外した状態でそうなっては困るので、給弾口１４を通過し得ないようにするストッパー２９が設けられている。ストッパー２９は、給弾口１４を完全に閉鎖する必要はないが、ばね３１により閉じ状態に常時付勢され、ストッパー２９の一部をばね３１に抗して押すことで、１発の球形弾１２を通過させる通過口３０を開くようになっており、球形弾１２が整列溝１５に１発も無いときは弾丸押圧子２０の先端が通過口３０に入り込む（図２等）。
【００２０】
銃本体１０の側にはマガジン装着口３２があり、その内奥に、マガジン側の給弾口１４と位置の一致する弾丸導入部３３が設けられている。弾丸導入部３３は、銃身３４の後端に位置する装弾部３５の直後にあり、ノズル３６が入り込んでいる。マガジン着脱は銃本体側面に設けられた操作釦３７で行うが、具体的構造については公知の構造で良いので詳細な説明を省略する。
【００２１】
このような球形弾用マガジンを使用するには、マガジン部１１の挿入口１６を開けて、収容部１３に球形弾１２を入れ、開閉蓋１７を閉じ（図２）、マガジン部１１を銃本体
１０にセットする（図３）。この状態では、弾丸押圧子２０はばね手段２１により押されてストッパー２９の通過口３０から先端が上に突き出しているが、銃本体１０にマガジンをセットしてもノズル３６には僅かに接しない位置にある。
【００２２】
収容部１３に充填されている球形弾１２を整列溝１５に詰めるときには、まず操作レバー２８を引き下げて、弾丸押圧子２０を最も下位に後退した位置へ移動させ、掛止部２４と掛止相手部２５を掛止状態にする（図４）。ここで操作レバー２８を離すと、ばね手段２７により原位置に戻るが、弾丸押圧子２０は下がった位置で掛止しており、弾丸移動口１９は開いている。
【００２３】
そこで、銃本体１０ごとマガジン部１１を傾けると、収容部１３の球形弾１２が多数同時的に弾丸移動口１９から整列口１５内に流入する（図６）。したがって、整列溝１５への球形弾１２の流入は非常に速やかに行われる。弾丸移動口１９より整列溝内に流入した球形弾１２は、整列溝１５の溝幅が球形弾２個分近い広さを有するためほぼ２列に並んでおり、さらに弾丸押圧子２０により押されるため、交互に最密的に並ぶことになる（図１０）。そして整列溝１５は先端に向かってテーパー状に狭まっており（図１０）、弾丸移動口１９の幅Ｄも狭いので、収容部１３に球形弾１２が逆流しにくい状態となる（図７（ｂ））。ここで更に掛止相手部２５の掛止状態を解除すると、弾丸押圧子２０が整列溝内の球形弾１２を押圧するので、球形弾１２は最密に２列に並んだ状態になり（図７（ｃ））、銃本体１０の傾きを元に戻してもまた様々に姿勢を変えても整列溝内から球形弾１２が収容部１３へ戻ることはない。
【００２４】
かくして最先端の球形弾１２はシリンダー先端部のノズル３６に接して、常時ばね手段２１の付勢力を受けているので、ピストンが移動する都度１発ずつ球形弾１２が装弾室
３５に送り込まれ、発射可能な状態となる（図８）。整列溝内の球形弾１２が発射され尽くしたときは（図９）、操作レバー２８を引き下げると、掛止部２４と係合してこれを下方へ移動させ、再び図２（ｂ）と同じ状態とするので、弾丸移動口１９が開く。よって銃本体１０を傾けて整列溝１５に給弾する動作を繰り返すことができる。
【産業上の利用可能性】
【００２５】
このような内容を有するので、本発明の球形弾用マガジンは、玩具銃のほか、競技用銃等、球形弾を使用する銃のためのマガジンとして利用することができるとともに、球形弾同様の形態を有する物品を容器に充填することを行う分野にも適用できる余地がある。
【図面の簡単な説明】
【００２６】
【図１】本発明に係る球形弾用マガジンを使用した銃本体の側面図。
【図２】（ａ）マガジン部に球形弾を充填している状態を示す縦断面図。（ｂ）充填完了状態を示す縦断面図。
【図３】マガジン部を銃本体に装着した状態を示す縦断面図。
【図４】操作レバーを引き下げた状態を示す縦断面図。
【図５】操作レバーを戻した状態を示す縦断面図。
【図６】銃本体を傾けた状態を示す縦断面図。
【図７】（ａ）整列溝に球形弾を整列させた状態を示す縦断面図。（ｂ）図７（ａ）のＸ−Ｘ断面図。（ｃ）図７（ｂ）のＹ−Ｙ断面図。
【図８】整列溝内の球形弾の給弾状態を示す縦断面図。
【図９】球形弾を消費し尽くした状態を示す縦断面図。
【図１０】整列溝内での弾丸の整列状況を示す説明図。
【符号の説明】
【００２７】
１０  銃本体
１１  マガジン部
１２  球形弾
１３  収容部
１４  給弾口
１５  整列溝
１９  弾丸移動口
２０  弾丸押圧子
２１、２７  ばね手段
２８  操作レバー
２９  ストッパー
３０  通過口
【図１】
2005106302.tif 000003
【図２】
2005106302.tif 000004
【図３】
2005106302.tif 000005
【図４】
2005106302.tif 000006
【図５】
2005106302.tif 000007
【図６】
2005106302.tif 000008
【図７】
2005106302.tif 000009
【図８】
2005106302.tif 000010
【図９】
2005106302.tif 000011
【図１０】
2005106302.tif 000012